(57)【要約】【課題】簡単で手軽な変色、変化の表現が可能となるデジタルデータを提供する。【解決手段】デジタルデータの一部、または全部が、不透明部、半透明部、完全透明部で構成されたデジタルデータの背面に、複数の色、グラデーションの色、不透明、または透明度を持った変色、変化させるデジタルデータが置かれた状態を特徴とするデジタルデータを製造し、複数の色、グラデーションの色、不透明、または透明度を持った変色、変化させるデジタルデータを変形（移動、回転、拡大、縮小）させる事により、変色、変化の表現が可能な事を特徴とするデジタルデータを提供する。これは、一般的なレイヤーが扱える画像、映像、動画編集ソフトのみで変色、変化の表現が可能であり、変化、変色を制御させる為に専用のプログラムを必要としない。【選択図】図３
2018045672.tif 000002
【特許請求の範囲】
【請求項１】
デジタルデータを生成するための製造方法であって、デジタルデータの一部、または全部が、不透明部、半透明部、完全透明部で構成されたデジタルデータの背面（クリッピングマスクデータを用いることで前面も可能）に、複数の色、グラデーションの色、不透明、または透明度を持った変色、変化させるデジタルデータ（クリッピングマスクデータを用いることで、表示範囲の制限も可能）が置かれた状態を特徴とするデジタルデータ。
【請求項２】
請求項１に記載の方法によって製造されたデジタルデータを使用して製造された画像、映像、動画、ゲーム、プログラム。
【請求項３】
デジタルデータを生成するための製造方法であって、デジタルデータの一部、または全部が、不透明部、半透明部、完全透明部で構成されたデジタルデータの背面（クリッピングマスクデータを用いることで前面も可能）に、複数の色、グラデーションの色、不透明、または透明度を持った変色、変化させるデジタルデータ（クリッピングマスクデータを用いることで、表示範囲の制限も可能）を変形（移動、回転、拡大、縮小）させる事により、変色、変化の表現が可能な事を特徴とする「カラーシフトアイ」の瞳（眼、目）を持つ人物の瞳（目、眼）、キャラクターの瞳（目、眼）、動物の瞳（目、眼）、ロボットの瞳（目、眼）、工業製品の瞳（目、眼）、物や動物が擬人化されたキャラクターの瞳（目、眼）、人間が瞳（目、眼）と判断できるキャラクターの瞳（目、眼）のデジタルデータ。
【請求項４】
デジタルデータを生成するための製造方法であって、デジタルデータの一部、または全部が、不透明部、半透明部、完全透明部で構成されたデジタルデータの背面（クリッピングマスクデータを用いることで前面も可能）に、複数の色、グラデーションの色、不透明、または透明度を持った変色、変化させるデジタルデータ（クリッピングマスクデータを用いることで、表示範囲の制限も可能）を変形（移動、回転、拡大、縮小）させる事により、変色、変化の表現が可能な事を特徴とする「カラーシフトアイ」の瞳（眼、目）を持つ人物の瞳（目、眼）、キャラクターの瞳（目、眼）、動物の瞳（目、眼）、ロボットの瞳（目、眼）、工業製品の瞳（目、眼）、物や動物が擬人化されたキャラクターの瞳（目、眼）、人間が瞳（目、眼）と判断できるキャラクターの瞳（目、眼）のキャラクターのデジタルデータ。
【請求項５】
請求項３又は４に記載の方法によって製造された「カラーシフトアイ」の瞳（眼、目）を持つキャラクターのデジタルデータを使用して製造された画像、映像、動画、ゲーム、プログラム。
【発明の詳細な説明】
【技術分野】
【０００１】  この発明は、変色、変化の表現が可能なデジタルデータの製造に関する。
【背景技術】
【０００２】  従来の変色、変化を可能とする表現を用いたデジタルデータの製造には、対象のデータに対して、色相の変更を用いて表現する手法が存在する（非特許文献１）。あるいは、変色、変化の表現を制御するプログラムを別に用意して表現する必要がある（特許文献１）。
【先行技術文献】
【非特許文献】
【０００３】
【非特許文献１】大西すみこ著  「はじめてのＰｈｏｔｏｓｈｏｐ  Ｅｌｅｍｅｎｔｓ２．０  Ｗｉｎ＆Ｍａｃ両対応」  株式会社  秀和システム  出版  第１版第１印９２頁、特定の色を補正するには
【特許文献】
【０００４】
【特許文献１】特開２００８−７７４１０号公報
【発明の概要】
【発明が解決しようとする課題】
【０００５】  しかしながら、以上の技術によれば、変色の表現が可能なデジタルデータの場合、表現できる色の範囲が変色前の色に依存した制限を受けたり、変色、変化を表現する為に専用のプログラムを必要としている。
そこで、本発明は、変色、変化の表現が可能なデジタルデータの表現の自由度を、より高めたデジタルデータの提供。変色、変化の表現が可能なデジタルデータの表現の為に、変色、変化の表現を制御するプログラムを必要とせず、一般的なレイヤーが扱える画像、映像、動画編集ソフトのみで変色、変化の表現が可能なデジタルデータを提供することを課題とする。
【課題を解決するための手段】
【０００６】  以上の課題を解決するために、本発明は、デジタルデータの一部、または全部が、不透明部、半透明部、完全透明部で構成されたデジタルデータの背面（クリッピングマスクデータを用いることで前面も可能）に、複数の色、グラデーションの色、不透明、または透明度を持った変色、変化させるデジタルデータ（クリッピングマスクデータを用いることで、表示範囲の制限も可能）が置かれた状態を特徴とするデジタルデータであり、複数の色、グラデーションの色、不透明、または透明度を持った変色、変化させるデジタルデータを変形（移動、回転、拡大、縮小）させる事により、色が変化しているように見える事を特徴とするデジタルデータが製造できる。
【発明の効果】
【０００７】  本発明によれば、デジタルデータの一部、または全部が、不透明部、半透明部、完全透明部で構成されたデジタルデータの背面（クリッピングマスクデータを用いることで前面も可能）に、複数の色、グラデーションの色、不透明、または透明度を持った変色、変化させるデジタルデータを変形（移動、回転、拡大、縮小）させる事により、変色、変化の表現が可能であり、表現できる色の範囲を予め自由に設定できる為、変色、変化する色の表現が大幅に向上する。
また、デジタルデータの一部、または全部が、不透明部、半透明部、完全透明部で構成されたデジタルデータの背面（クリッピングマスクデータを用いることで前面も可能）に、複数の色、グラデーションの色、不透明、または透明度を持った変色、変化させるデジタルデータを変形（移動、回転、拡大、縮小）させる事により、変色、変化の表現が可能な為、変色、変化の表現を制御するプログラムを必要とせず、一般的なレイヤーが扱える画像処理ソフト、フォトショップ（アドビシステムズ株式会社）や、イラストレーター（アドビシステムズ株式会社）単体で実施可能である。
本発明により製造されたデジタルデータは、一般的なレイヤーが扱える画像、映像、動画編集ソフトや、ゲームソフトであれば、リアルタイムに変色、変化させる事が可能である。
【図面の簡単な説明】
【０００８】
【図１】本発明の一実施形態を示す斜視図である。
【図２】図１の視点から見た図である。
【図３】図１の符号２にクリッピングマスクデータの符号３を用いた状態の図で、符号２は符号３で囲まれた範囲しか表示されない。
【図４】図３の視点から見た図であり、符号２のみを変形（移動、回転、拡大、縮小）させた状態の一例を示す図である。
【発明を実施するための形態】
【０００９】  本発明の一実施形態を、図３に示す。
デジタルデータの一部、または全部が、不透明部、半透明部、完全透明部で構成された、デジタルデータの符号１があり、その背面（クリッピングマスクデータの符号３を用いることで前面も可能）に、複数の色、グラデーションの色、不透明、または透明度を持った変色、変化させるデジタルデータの符号２（クリッピングマスクデータの符号３を用いることで、表示範囲の制限も可能）が置かれた状態のデジタルデータである。
【００１０】「実施形態の効果」
この実施形態によれば、デジタルデータの一部、または全部が、不透明部、半透明部、完全透明部で構成されたデジタルデータの符号１の背面（クリッピングマスクデータの符号３を用いることで前面も可能）にある、複数の色、グラデーションの色、不透明、または透明度を持った変色、変化させるデジタルデータの符号２（クリッピングマスクデータの符号３を用いることで、表示範囲の制限も可能）を、変形（移動、回転、拡大、縮小）させる事により、色の変色、変化が簡単に実施可能となる。
この実施形態は、一般的な画像処理ソフト、フォトショップ（アドビシステムズ株式会社）や、イラストレーター（アドビシステムズ株式会社）単体で実施可能である。
「他の実施形態」
図４の実施形態は、符号２のみを変形（移動、回転、拡大、縮小）させた状態の一例であり、この実施形態によれば、クリッピングマスクデータの符号３を用いることで、符号２のみを変形（移動、回転、拡大、縮小）させても、符号１の意匠全体の範囲から符号２がはみ出してしまう事なく変化、変色の表現が可能である。
【実施例】
【００１１】  本発明の実施例として、デジタルデータとして製造された人物の瞳（目、眼）、キャラクターの瞳（目、眼）、動物の瞳（目、眼）、ロボットの瞳（目、眼）、工業製品の瞳（目、眼）、物や動物が擬人化されたキャラクターの瞳（目、眼）、人間が瞳（目、眼）と判断できるキャラクターの瞳（目、眼）の箇所に、本発明を適用する事で、変化、変色の表現が可能な瞳（目、眼）を特徴とする「カラーシフトアイ」を持つキャラクターの表現、デジタルデータの製造が可能となる。【００１２】  本発明は、前述した実施例に限定されるものではなく、本発明の範囲から逸脱することなく、無数の意匠状態を想定（符号１、符号２の色、デザイン、符号３のデザインによる）することができる。
【符号の説明】
【００１３】１  デジタルデータの一部、または全部が、不透明部、半透明部、完全透明部で構成されたデジタルデータ
２  符号１の背面（クリッピングマスクデータの符号３を用いることで前面も可能）にある複数の色、グラデーションの色、不透明、または透明度を持った変色、変化させるデジタルデータ（クリッピングマスクデータの符号３を用いることで、表示範囲の制限も可能）
３  クリッピングマスクデータのデジタルデータで、これを符号２に適用すると、符号２はクリッピングマスクデータで囲まれた範囲内でしか表示されない
【図１】
2018045672.tif 000003
【図２】
2018045672.tif 000004
【図３】
2018045672.tif 000005
【図４】
2018045672.tif 000006